(57)【要約】【課題】利用者が望む通信サービスを実現することができる移動局装置、通信システム、通信方法、及び通信プログラムを提供する【解決手段】ネットワーク検出部は無線信号を送受信する１又は複数のネットワークを検出し、ネットワーク選択部は検出した１又は複数ネットワークのうち少なくとも１つのネットワークを、ネットワーク毎に予め定めた優先度に基づいて選択し、位置登録部は選択したネットワークへの位置登録を要求し、表示部は選択したネットワークが予め定めたサービスを提供できないネットワークである場合、検出した１又は複数のネットワークのいずれかを選択することを促すネットワーク表示を表示する。【選択図】図３
2014060685.tif 000002
【特許請求の範囲】
【請求項１】
無線信号を送受信する１又は複数のネットワークを検出するネットワーク検出部と、
前記ネットワーク検出部が検出した１又は複数ネットワークのうち少なくとも１つのネットワークを、ネットワーク毎に予め定めた優先度に基づいて選択するネットワーク選択部と、
前記ネットワーク選択部が選択したネットワークへの位置登録を要求する位置登録部と、
前記ネットワーク選択部が選択したネットワークが予め定めたサービスを提供できないネットワークである場合、前記ネットワーク検出部が検出した１又は複数のネットワークのいずれかを選択することを促すネットワーク表示を表示する表示部と、
を備えることを特徴とする移動局装置。
【請求項２】
前記ネットワーク検出部が検出した１又は複数のネットワークのいずれかを選択することを指示する操作入力を受け付ける操作入力部を備え、
予め定めた時間経過しても前記操作入力部が前記操作入力を受け付けなかったとき、前記表示部は、前記操作入力を促すネットワーク表示を表示する、
ことを特徴とする請求項１に記載の移動局装置。
【請求項３】
前記ネットワーク検出部は、１又は複数のネットワークを再度検出し、
前記表示部は、前記ネットワーク検出部が再度検出した１又は複数のネットワークを一覧表示することを特徴とする請求項２に記載の移動局装置。
【請求項４】
前記ネットワーク選択部が選択したネットワークへの位置登録に応じて当該ネットワークが提供できるサービスを示すサービス能力情報を含む位置登録完了情報を受信し、
前記表示部は、前記サービス能力情報に基づくサービス表示を当該ネットワークと対応付けて表示することを特徴とする請求項３に記載の移動局装置。
【請求項５】
前記ネットワーク検出部が行なうネットワークの検出、又は前記位置登録部が行う位置登録、を予め定めた時間間隔で行うことを特徴とする請求項３又は４に記載の移動局装置。
【請求項６】
前記ネットワーク選択部には、予め定めたサービスを実現するネットワークを優先して選択する動作モードであって、前記操作入力部が操作入力を受け付けたネットワークが実現できるサービスに係る動作モードが設定されることを特徴とする請求項４に記載の移動局装置。
【請求項７】
前記ネットワーク選択部は、前記サービス能力情報に基づいて前記動作モードに係るサービスを実現できるネットワークを選択することを特徴とする請求項６に記載の移動局装置。
【請求項８】
前記ネットワーク検出部は、前記ネットワーク選択部が選択したネットワークからの電波を受信することができる範囲外であるか否かを判定し、
前記ネットワーク選択部は、前記範囲外であると判定されたとき、予め定めた時間間隔で前記ネットワーク検出部が検出した１又は複数のネットワークのうちいずれかを選択することを特徴とする請求項３、４又は６に記載の移動局装置。
【請求項９】
無線信号を送受信する１個又は複数のネットワークと移動局装置を備える通信システムであって、
前記移動局装置は、
無線信号を送受信する１又は複数のネットワークを検出するネットワーク検出部と、
前記ネットワーク検出部が検出した１又は複数ネットワークのうち少なくとも１つのネットワークを、ネットワーク毎に予め定めた優先度に基づいて選択するネットワーク選択部と、
前記ネットワーク選択部が選択したネットワークへの位置登録を要求する位置登録部と、
前記ネットワーク選択部が選択したネットワークが予め定めたサービスを提供できないネットワークである場合、前記ネットワーク検出部が検出した１又は複数のネットワークのいずれかを選択することを促すネットワーク表示を表示する表示部と、
を備えることを特徴とする通信システム。
【請求項１０】
移動局装置における通信方法であって、
前記移動局装置は、無線信号を送受信する１又は複数のネットワークを検出するネットワーク検出過程と、
前記ネットワーク検出過程において検出された１又は複数ネットワークのうち少なくとも１つのネットワークを、ネットワーク毎に予め定めた優先度に基づいて選択するネットワーク選択過程と、
前記ネットワーク選択過程において選択されたネットワークへの位置登録を要求する位置登録過程と、
前記ネットワーク選択過程において選択されたネットワークが予め定めたサービスを提供できないネットワークである場合、前記ネットワーク検出過程において検出された１又は複数のネットワークのいずれかを選択することを促すネットワーク表示を表示する表示過程と、
を有することを特徴とする通信方法。
【請求項１１】
移動局装置のコンピュータに、
無線信号を送受信する１又は複数のネットワークを検出するネットワーク検出手順、
前記ネットワーク検出手順において検出された１又は複数ネットワークのうち少なくとも１つのネットワークを、ネットワーク毎に予め定めた優先度に基づいて選択するネットワーク選択手順、
前記ネットワーク選択手順において選択されたネットワークへの位置登録を要求する位置登録手順、
前記ネットワーク選択手順において選択されたネットワークが予め定めたサービスを提供できないネットワークである場合、前記ネットワーク検出手順において検出された１又は複数のネットワークのいずれかを選択することを促すネットワーク表示を表示する表示手順、
を実行させることを特徴とする通信プログラム。
【発明の詳細な説明】
【技術分野】
【０００１】
本発明は、移動局装置、通信システム、通信方法、及び通信プログラムに関する。
【背景技術】
【０００２】
無線通信技術の規格であるＬＴＥ（Ｌｏｎｇ  Ｔｉｍｅ  Ｅｖｏｌｕｔｉｏｎ）では、パケット通信のみがサポートされており、ＬＴＥだけでは回線交換方式を用いた音声通信を実現することはできない。ＬＴＥにおいて音声通信を行うには、例えば、ＩＭＳ（ＩＰ  Ｍｕｌｔｉｍｅｄｉａ  Ｓｕｂｓｙｓｔｅｍ）を導入してＶｏＩＰ（Ｖｏｉｃｅ  ｏｖｅｒ  Ｉｎｔｅｒｎｅｔ  Ｐｒｏｔｏｃｏｌ、音声を符号化し圧縮してインターネットプロトコルでリアルタイム伝送する）技術を用いる方法と、ＣＳＦＢ（Ｃｉｒｃｕｉｔ  Ｓｗｉｔｃｈｅｄ  Ｆａｌｌｂａｃｋ、ＣＳフォールバック。音声通信を回線交換方式で行う）方式等、音声通信を実現する通信方法を用いる。そのため、例えばネットワークがＣＳＦＢに対応していないがＶｏＩＰには対応している場合に、移動局装置では、逆にＣＳＦＢに対応している一方でＶｏＩＰには対応していない場合には、音声通信が実現できない。
【０００３】
このような場合を想定して、非特許文献１では、移動局装置において、音声通信とデータ通信のどちらを優先するかを示す動作モードを設定できるようにすることが記載されている。例えば、ＬＴＥ網（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を無効にして他の音声通信を用いるモードをｖｏｉｃｅ  ｃｅｎｔｒｉｃといい、音声通信が実現できなくともＬＴＥ網を用いるモードｄａｔａ  ｃｅｎｔｒｉｃと記載されている。
また、非特許文献２では、移動局装置においてＰＬＭＮ（Ｐｕｂｌｉｃ  Ｌａｎｄ  Ｍｏｂｉｌｅ  Ｎｅｔｗｏｒｋ：公衆移動通信網）を自動又は手動で選択できるようにするための仕様について記載されている。
【先行技術文献】
【非特許文献】
【０００４】
【非特許文献１】ＵＥ  ｍｏｄｅ  ｏｆ  ｏｐｅｒａｔｉｏｎ，３ＧＰＰ  ＴＳ２４．３０１  Ｔｅｃｈｎｉｃａｌ  Ｓｐｅｃｉｆｉｃａｔｉｏｎ，  ３ＧＰＰ(３ｒｄ  Ｇｅｎｅｒａｔｉｏｎ  Ｐａｒｔｎｅｒｓｈｉｐ  Ｐｒｏｊｅｃｔ)，  ２０１２年６月２７日，  Ｖ１１．３．０，４．３，ｐ．２７−３４
【非特許文献２】ＰＬＭＮ  ｓｅｌｅｃｔｉｏｎ  ｐｒｏｃｅｓｓ，３ＧＰＰ  ＴＳ２３．１２２  Ｔｅｃｈｎｉｃａｌ  Ｓｐｅｃｉｆｉｃａｔｉｏｎ，  ３ＧＰＰ，  ２０１２年６月２７日，  Ｖ１１．２．０，４．４，ｐ．１６−２４
【発明の概要】
【発明が解決しようとする課題】
【０００５】
ここで、音声通信を実現できないＰＬＭＮが選択された場合に、そのまま選択されたＰＬＭＮを利用し続けるよりも、他のＰＬＭＮに遷移したほうが利用者にとって望ましいことがある。しかし、非特許文献１に記載の動作モードを設定して、非特許文献２に記載のＰＬＭＮの選択を行うと、一度選択されたＰＬＭＮがそのまま利用され続けることがある。例えば、ＣＳＦＢに対応していないＬＴＥ網とＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多重アクセス）網を有するＰＬＭＮ（ＰＬＭＮ１）と、ＣＳＦＢに対応しているＬＴＥ網とＷ−ＣＤＭＡ網を有するＰＬＭＮ（ＰＬＭＮ２）が選択されるネットワークの候補である場合を考える。ＰＬＭＮ１の優先度がＰＬＭＮ２の優先度よりも高い場合や、ＰＬＭＮ１の優先度とＰＬＭＮ２の優先度が等しい場合であってＰＬＭＮ１が先に発見された場合には、ＰＬＭＮ１が選択される。動作モードがｖｏｉｃｅ  ｃｅｎｔｒｉｃである場合、ＬＴＥ網が無効となりＷ−ＣＤＭＡ網が利用され続ける。動作モードがｄａｔａ  ｃｅｎｔｒｉｃである場合、ＬＴＥ網が利用され続ける。そのため、ＬＴＥ網上でＶｏＩＰ技術（Ｖｏｉｃｅ  ｏｖｅｒ  ＬＴＥ）に対応していない移動局装置では音声通信を実現することができない。動作モードの設定は、一般に利用者にとって煩雑であり敬遠されがちであるうえ、いずれかの動作モードが設定されていたとしても、利用者が望む通信サービスを必ずしも実現することができないという課題があった。
【０００６】
本発明は上記の点に鑑みてなされたものであり、利用者が望む通信サービスを実現することができる移動局装置、通信システム、通信方法、及び通信プログラムを提供することを目的とする。
【課題を解決するための手段】
【０００７】
（１）本発明は上記の課題を解決するためになされたものであり、本発明の一態様は、無線信号を送受信する１又は複数のネットワークを検出するネットワーク検出部と、前記ネットワーク検出部が検出した１又は複数ネットワークのうち少なくとも１つのネットワークを、ネットワーク毎に予め定めた優先度に基づいて選択するネットワーク選択部と、前記ネットワーク選択部が選択したネットワークへの位置登録を要求する位置登録部と、前記ネットワーク選択部が選択したネットワークが予め定めたサービスを提供できないネットワークである場合、前記ネットワーク検出部が検出した１又は複数のネットワークのいずれかを選択することを促すネットワーク表示を表示する表示部と、を備えることを特徴とする移動局装置である。
【０００８】
（２）本発明のその他の態様は、上述の移動局装置において、前記ネットワーク検出部が検出した１又は複数のネットワークのいずれかを選択することを指示する操作入力を受け付ける操作入力部を備え、予め定めた時間経過しても前記操作入力部が前記操作入力を受け付けなかったとき、前記表示部は、前記操作入力を促すネットワーク表示を表示することを特徴とする。
【０００９】
（３）本発明のその他の態様は、上述の移動局装置において、前記ネットワーク検出部は、１又は複数のネットワークを再度検出し、前記表示部は、前記ネットワーク検出部が再度検出した１又は複数のネットワークを一覧表示することを特徴とする。
【００１０】
（４）本発明のその他の態様は、上述の移動局装置において、前記ネットワーク選択部が選択したネットワークへの位置登録に応じて当該ネットワークが提供できるサービスを示すサービス能力情報を含む位置登録完了情報を受信し、前記表示部は、前記サービス能力情報に基づくサービス表示を当該ネットワークと対応付けて表示することを特徴とする。
【００１１】
（５）本発明のその他の態様は、上述の移動局装置において、前記ネットワーク検出部が行なうネットワークの検出、又は前記位置登録部が行う位置登録、を予め定めた時間間隔で行うことを特徴とする。
【００１２】
（６）本発明のその他の態様は、上述の移動局装置において、前記ネットワーク選択部には、予め定めたサービスを実現するネットワークを優先して選択する動作モードであって、前記操作入力部が操作入力を受け付けたネットワークが実現できるサービスに係る動作モードが設定されることを特徴とする。
【００１３】
（７）本発明のその他の態様は、上述の移動局装置において、前記ネットワーク選択部は、前記サービス能力情報に基づいて前記動作モードに係るサービスを実現できるネットワークを選択することを特徴とする。
【００１４】
（８）本発明のその他の態様は、上述の移動局装置において、前記ネットワーク検出部は、前記ネットワーク選択部が選択したネットワークからの電波を受信することができる範囲外であるか否かを判定し、前記ネットワーク選択部は、前記範囲外であると判定されたとき、予め定めた時間間隔で前記ネットワーク検出部が検出した１又は複数のネットワークのうちいずれかを選択することを特徴とする。
【００１５】
（９）本発明のその他の態様は、無線信号を送受信する１個又は複数のネットワークと移動局装置を備える通信システムであって、前記移動局装置は、無線信号を送受信する１又は複数のネットワークを検出するネットワーク検出部と、前記ネットワーク検出部が検出した１又は複数ネットワークのうち少なくとも１つのネットワークを、ネットワーク毎に予め定めた優先度に基づいて選択するネットワーク選択部と、前記ネットワーク選択部が選択したネットワークへの位置登録を要求する位置登録部と、前記ネットワーク選択部が選択したネットワークが予め定めたサービスを提供できないネットワークである場合、前記ネットワーク検出部が検出した１又は複数のネットワークのいずれかを選択することを促すネットワーク表示を表示する表示部と、を備えることを特徴とする通信システムである。
【００１６】
（１０）本発明のその他の態様は、移動局装置における通信方法であって、前記移動局装置は、無線信号を送受信する１又は複数のネットワークを検出するネットワーク検出過程と、前記ネットワーク検出過程において検出された１又は複数ネットワークのうち少なくとも１つのネットワークを、ネットワーク毎に予め定めた優先度に基づいて選択するネットワーク選択過程と、前記ネットワーク選択過程において選択されたネットワークへの位置登録を要求する位置登録過程と、前記ネットワーク選択過程において選択されたネットワークが予め定めたサービスを提供できないネットワークである場合、前記ネットワーク検出過程において検出された１又は複数のネットワークのいずれかを選択することを促すネットワーク表示を表示する表示過程と、を有することを特徴とする通信方法である。
【００１７】
（１１）本発明のその他の態様は、移動局装置のコンピュータに、無線信号を送受信する１又は複数のネットワークを検出するネットワーク検出手順、前記ネットワーク検出手順において検出された１又は複数ネットワークのうち少なくとも１つのネットワークを、ネットワーク毎に予め定めた優先度に基づいて選択するネットワーク選択手順、前記ネットワーク選択手順において選択されたネットワークへの位置登録を要求する位置登録手順、前記ネットワーク選択手順において選択されたネットワークが予め定めたサービスを提供できないネットワークである場合、前記ネットワーク検出手順において検出された１又は複数のネットワークのいずれかを選択することを促すネットワーク表示を表示する表示手順、を実行させることを特徴とする通信プログラムである。
【発明の効果】
【００１８】
本発明によれば、利用者が望む通信サービスを実現することができる。
【図面の簡単な説明】
【００１９】
【図１】本発明の実施形態に係る通信システムを示す概念図である。
【図２】移動局装置がＰＬＭＮに接続する際の処理を示すシーケンス図である。
【図３】本実施形態に係る移動局装置の内部構成を示すブロック図である。
【図４】本実施形態に係る移動局装置の外観を示す表面図である。
【図５】圏外表示の一例を示す概略図である。
【図６】ネットワーク表示の例を示す概略図である。
【図７】ネットワーク再選択表示の一例を示す概略図である。
【図８】選択モード表示の一例を示す概略図である。
【図９】ＰＬＭＮリストの一例を示す概略図である。
【図１０】ＰＬＭＮリストの他の例を示す概略図である。
【図１１】本実施形態に係るネットワーク選択処理例の一部（１）を示すフローチャートである。
【図１２】本実施形態に係るネットワーク選択処理例の一部（２）を示すフローチャートである。
【図１３】本実施形態に係るネットワーク選択処理例の一部（３）を示すフローチャートである。
【図１４】本実施形態に係るネットワーク選択処理例の一部（４）を示すフローチャートである。
【図１５】本実施形態に係るネットワーク選択処理例の一部（５）を示すフローチャートである。
【発明を実施するための形態】
【００２０】
（通信システムの全体構成）
以下、図面を参照しながら本発明の実施形態について説明する。
図１は、本実施形態に係る通信システム１を示す概念図である。
通信システム１は、移動局装置１１及び１個又は複数個（図１に示す例では、２個）のＰＬＭＮ２１−１、２１−２を含んで構成される。ＰＬＭＮは、通信事業者が利用者（加入者）に通信サービスを提供するネットワークである。以下の説明では、これらのＰＬＭＮをＰＬＭＮ２１と総称することがある。同様に、後述する基地局装置を互いに区別しない場合、又は総称する場合には、基地局装置２２、基地局装置２２−１等と呼ぶことがある。
【００２１】
移動局装置１１は、利用者が所持する装置（ＵＥ：Ｕｓｅｒ  Ｅｑｕｉｐｍｅｎｔ）であって、ＰＬＭＮ２１−１等を用いて通信相手が所持する通信装置との間において、無線で信号を送信又は受信することによって通信相手との通信を実現する装置である。移動局装置１１には、例えば、携帯電話機、多機能携帯電話機（いわゆるスマートフォン等）、携帯情報端末装置などがある。
利用可能なＰＬＭＮが複数個ある場合には、後述するように、移動局装置１１は、複数個のＰＬＭＮのうち、いずれか１個のＰＬＭＮを選択し、選択したＰＬＭＮを用いて通信を行う。利用者が、複数個のＰＬＭＮのうち、所望のＰＬＭＮを手動で選択する選択モードを手動モード（ｍａｎｕａｌ  ｍｏｄｅ）と呼ぶ。移動局装置１１が、予め定めた優先度に基づいてＰＬＭＮを選択する選択モードを自動モード（ａｕｔｏｍａｔｉｃ  ｍｏｄｅ）と呼ぶ。なお、以下の説明では、選択モードをネットワーク選択モードと呼ぶことがある。移動局装置１１が、自動モードにおいてＰＬＭＮを選択する基準となる動作モード（ｍｏｄｅ  ｏｆ  ｏｐｅａｔｉｏｎ）として、例えば、データ優先（ｄａｔａ  ｃｅｎｔｒｉｃ）と音声優先（ｖｏｉｃｅ  ｃｅｎｔｒｉｃ）がある。つまり、動作モードは、移動局装置１１において特定の通信サービスを提供することができるＰＬＭＮを選択することを示す設定様式（ＵＥ’ｓ  ｕｓａｇｅ  ｓｅｔｔｉｎｇ）である。移動局装置１１には、これらの選択モードや動作モードを予め設定しておいてもよいし、利用者による操作入力を受け付けて設定できるようにしてもよい。
【００２２】
基地局装置（ｅＮｏｄｅＢ）２２−１、２２−２は、それぞれＰＬＭＮ２１−１、２２−１の構成要素であって、各ＰＬＭＮ２１−１、２２−１が備える基幹網と移動局装置１１との間で信号を送受信する装置である。各ＰＬＭＮ２１は、通例、それぞれ異なる位置に配置された１又は複数の基地局装置２２を備える。それぞれの基地局装置２２が送信する電波が届く領域であるセルが、ＰＬＭＮ２１−１等による通信サービスの提供領域を網羅している。
【００２３】
各ＰＬＭＮ２１は、ＰＬＭＮ識別子（ＰＬＭＮ−ｉｄｅｎｔｉｔｙ）を用いて識別されている。ＰＬＭＮ識別子は、移動国コード（ＭＣＣ：Ｍｏｂｉｌｅ  Ｃｏｕｎｔｒｙ  Ｃｏｄｅ）と移動ネットワークコード（ＭＮＣ：Ｍｏｂｉｌｅ  Ｎｅｔｗｏｒｋ  Ｃｏｄｅ）を含んで構成される。
各ＰＬＭＮ２１は、例えば、ＬＴＥに準拠しているＬＴＥ網であってもよいし、第３世代移動通信網（３Ｇ：３ｒｄ  Ｇｅｎｅｒａｔｉｏｎ  ｏｆ  ｍｏｂｉｌｅ  ｔｅｌｅｃｏｍｍｕｎｉｃａｔｉｏｎｓ  ｔｅｃｈｎｏｌｏｇｙ）、又は、これらを統合して収容するＥＰＣ（Ｅｖｏｌｖｅｄ  Ｐａｃｋｅｔ  Ｃｏｒｅ）を含むネットワークであってもよい。なお、３Ｇは、本来無線アクセス方式名を指すＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）又はＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）とも呼ばれることがある。
【００２４】
ＰＬＭＮは、複数の基地局装置の他、基幹網（ＣＮ：ｃｏｒｅ  ｎｅｔｗｏｒｋ）を含んで構成される。
ＰＬＭＮが提供することができる通信サービスは、基幹網が当該通信サービスを実現できるに構成要素（ノード）を備えるか否かに依存する。以下の説明では、当該通信サービスを実現するか否かを示す情報をサービス能力情報と呼ぶ。
ＬＴＥに準拠しているＬＴＥ網では、通信サービスはＩＰ（ｉｎｔｅｒｎｅｔ  ｐｒｏｔｏｃｏｌ：インターネット・プロトコル）を用いて提供される。従来、音声通信やＳＭＳ（Ｓｈｏｒｔ  Ｍｅｓｓａｇｅ  Ｓｅｒｖｉｃｅ、ショート・メッセージ・サービス）のように、ＣＳ（Ｃｉｒｃｕｉｔ  Ｓｗｉｔｃｈｅｄ、回線交換）ドメインを用いて提供されていたサービスを、ＬＴＥ網を用いて提供するためには、別個の構成を要する。ＰＬＭＮがＬＴＥ網である場合には、例えば、ＩＰを用いてサービスを提供するためのＩＭＳ（ＩＰ  Ｍｕｌｔｉｍｅｄｉａ  Ｓｕｂｓｙｓｔｅｍ）を備えて、ＶｏＩＰによる音声通信等を実現する。また、音声通信等を開始する際に、ＬＴＥ網からＣＳドメインを有するネットワーク、例えば３Ｇ網に切り替えるＣＳＦＢ方式を備えていてもよい。
【００２５】
（ＰＬＭＮへの接続）
次に、移動局装置１１がＰＬＭＮ２１に接続する際の処理について説明する。
図２は、移動局装置１１がＰＬＭＮ２１に接続する際の処理を示すシーケンス図である。
（ステップＳ１０１）ＰＬＭＮ２１は、基地局装置２２（図１）から報知情報（Ｓｙｓｔｅｍ  Ｉｎｆｏｒｍａｔｉｏｎ）と同期信号を予め定めた時間間隔（例えば、５０ｍｓ）で電波によって送信する。報知情報は、ＰＬＭＮ２１に関する情報であり、例えば、ＰＬＭＮ２１を示すＰＬＭＮ識別子を含む。同期信号は、基地局装置２２を示すセルＩＤを含む。なお、ＰＬＭＮ２１が送信する電波の周波数帯域は、ＰＬＭＮによって異なる。その後、ステップＳ１０２に進む。
（ステップＳ１０２）移動局装置１１は、基地局装置２２からの報知信号及び同期信号を検出し、検出した報知信号が示すＰＬＭＮ識別子及び同期信号が示すセルＩＤを検出する。これにより、利用可能なＰＬＭＮの候補、ＰＬＭＮを用いる際に用いられる周波数帯域及び基地局装置２２を探索する（ＰＬＭＮサーチ）。その後、ステップＳ１０３に進む。
【００２６】
（ステップＳ１０３）移動局装置１１は、予め選択されている選択モードを判定する。選択モードが手動モードである場合、ステップＳ１０４に進む。判定された選択モードが自動モードである場合については後述する。
（ステップＳ１０４）移動局装置１１は、検出されたＰＬＭＮの候補を一覧表示（リスト表示）する。ＰＬＭＮの候補を表示する順序は、例えば、優先度が高いものから低いものへの順序である。ＰＬＭＮの優先度については、後述する。その後、ステップＳ１０５に進む。
【００２７】
（ステップＳ１０５）移動局装置１１は、利用者による操作入力を受け付けて、表示されているＰＬＭＮの候補のうちいずれかを選択する。その後、ステップＳ１０６に進む。
（ステップＳ１０６）移動局装置１１は、ＰＬＭＮ２１に位置登録要求（ａｔｔａｃｈ、アタッチ）を行う。位置登録要求とは、ＰＬＭＮ２１毎に定められた位置登録領域（ｔｒａｃｋｉｎｇ  ａｒｅａ）内に配置された基地局装置２２を用いて通信を行うことについて登録を要求することである。ここで、移動局装置１１は、位置登録を要求することを示す位置登録要求信号を生成し、生成した位置登録要求信号を、基地局装置２２を経由してＰＬＭＮ２１の基幹網に送信する。その後、ステップＳ１０７に進む。
（ステップＳ１０７）移動局装置１１は、ＰＬＭＮ２１の基幹網から基地局装置２２を経由して位置登録完了情報（ａｔｔａｃｈ  ａｃｃｅｐｔ）を受信する（位置登録完了通知）。位置登録完了情報とは、ＰＬＭＮ２１への位置登録が受け付けられたことを示す情報であり、等価ＰＬＭＮ（ｅｑｕｉｖａｌｅｎｔ  ＰＬＭＮ）を示す等価ＰＬＭＮ識別子を含む。等価ＰＬＭＮとは、既に位置登録がなされているＰＬＭＮと等価であることを示すＰＬＭＮである。これにより、移動局装置１１は、ＰＬＭＮ２１を用いて通信を行うことができる。
なお、ＰＬＭＮ２１への位置登録に拒否された場合には、移動局装置１１は、位置登録拒否情報（ａｔｔａｃｈ  ｒｅｊｅｃｔ）を受信する。これは、選択したＰＬＭＮへの接続に失敗したことを示す。このとき、移動局装置１１は、その旨を示す接続失敗表示を表示する。その後、処理を終了する。
【００２８】
なお、既に位置登録が行われたＰＬＭＮがステップＳ１０５で選択された場合には、ステップＳ１０６、Ｓ１０７において位置登録要求の実行、位置登録完了情報の受信の代わりに、位置登録更新要求（ｔｒａｃｋｉｎｇ  ａｒｅａ  ｕｐｄａｔｅ）の実行、位置登録更新完了情報（ｔｒａｃｋｉｎｇ  ａｒｅａ  ｕｐｄａｔｅ  ａｃｃｅｐｔ）の受信を行ってもよい。位置登録更新要求とは、位置登録領域内に配置された基地局装置２２を用いて通信を行うことについて登録の更新を要求することである。これにより、移動局装置１１が移動しても、ＰＬＭＮ２１のサービス提供領域内において登録されている状態が維持される。位置登録更新完了情報とは、位置登録の更新が完了したことを示す情報である。
【００２９】
上述では、ステップＳ１０３において判定された選択モードが手動モードである場合について説明したが、この選択モードが自動モードである場合については、ステップＳ１０４を省略する。そして、ステップＳ１０５では、移動局装置１１は、検出されたＰＬＭＮの候補のうち優先度が最も高いＰＬＭＮを選択し、選択したＰＬＭＮについてステップＳ１０６、Ｓ１０７を実行する。
ステップＳ１０７において、移動局装置１１が位置登録拒否情報又は位置登録更新拒否情報が受信した場合には、ステップＳ１０５に戻り、優先度が最も高いＰＬＭＮを選択し、ステップＳ１０６、Ｓ１０７を実行するようにしてもよい。後述するＰＬＭＮの優先度の例を採用することで、当初定められた優先度が高い順にＰＬＭＮが選択される。このようにして、ＰＬＭＮの位置登録が完了し通信が可能になるまで、ステップＳ１０５−Ｓ１０７が繰り返される。
【００３０】
また、選択モードが手動モードであるか自動モードであるかに関わらず、移動局装置１１がＰＬＭＮ２１からの報知情報の受信ができない場合には、基地局装置２２からの電波が届く範囲外である圏外（以下、単に「圏外」と呼ぶことがある）にあることを示す。ここで、移動局装置１１は、その旨を示す圏外表示をその表示装置に表示する。
【００３１】
（ＰＬＭＮの優先度の一例）
次に、ＰＬＭＮの優先度の一例について説明する。
この優先度として、例えば、非特許文献２の４．３．３．２．１で規定されているように、次のｉ）−ｖｉ）に基づく優先度を用いてもよい。ｉ）を満たすものが最も優先度が高く、ｉ）−ｖｉ）の順で優先度が低くなる。
【００３２】
ｉ）ＨＰＬＭＮ（Ｈｏｍｅ  ＰＬＭＮ、ホームＰＬＭＮ、但し後述するＥＨＰＬＭＮ（Ｅｑｕｉｖａｌｅｎｔ  Ｈｏｍｅ  ＰＬＭＮ、等価ホームＰＬＭＮ）がない場合）又は最優先の利用可能なＥＨＰＬＭＮ：  ＨＰＬＭＮとは、利用者が加入者(Ｓｕｂｓｃｒｉｂｅｒ）として契約しているＰＬＭＮである。ＥＨＰＬＭＮとは、位置登録（又は位置登録更新）を行う際の位置登録完了情報（又は位置登録更新完了情報）で得られるＨＰＬＭＮと同等のＰＬＭＮである。ＨＰＬＭＮに係る情報、即ち、ＨＰＬＭＮのＰＬＭＮ識別子、そのアクセス技術を示すアクセス技術情報は加入者情報の一部として、移動局装置１１が備えるＳＩＭ（Ｓｕｂｓｃｒｉｂｅｒ  Ｉｄｅｎｔｉｔｙ  Ｍｏｄｕｌｅ、加入者同定部）に予め記憶させておく。
【００３３】
ｉｉ）ＳＩＭにおけるユーザコントロールＰＬＭＮ・アクセス技術セレクタ（Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ）ファイルにおけるＰＬＭＮとアクセス技術の組み合わせ、但し直前に選択されたＰＬＭＮとアクセス技術の組み合わせを除く。
ｉｉｉ）ＳＩＭにおけるオペレータコントロールＰＬＭＮ・アクセス技術セレクタ（Ｏｐｅｒａｔｏｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ）ファイルにおけるＰＬＭＮとアクセス技術の組み合わせ、但し直前に選択されたＰＬＭＮとアクセス技術の組み合わせを除く。
【００３４】
ｉｖ）ランダムな順序で受信した高い信号品質に係るＰＬＭＮとアクセス技術の他の組み合わせ、但し直前に選択されたＰＬＭＮとアクセス技術の組み合わせを除く。
ｖ）ＰＬＭＮとアクセス技術の他の組み合わせ、但し信号品質の降順で直前に選択されたＰＬＭＮとアクセス技術の組み合わせ、又は、信号品質を無視すれば選択されうるＰＬＭＮとアクセス技術の組み合わせを除く。
ｖｉ）直前に選択されたＰＬＭＮとアクセス技術の組み合わせ：  即ち、移動局装置１１は、直前に選択されたＰＬＭＮとアクセス技術の組み合わせの優先度を、最下位に変更する。
【００３５】
即ち、ＨＰＬＭＮ又はＥＨＰＬＭＮの優先度が最も高く、直前に選択されたＰＬＭＮとアクセス技術の組み合わせの優先度が最も低い。これにより、直前に選択されたＰＬＭＮとアクセス技術の組み合わせが繰り返し選択されることによって他のＰＬＭＮ又は、それとアクセス技術の組み合わせが選択されなくなることが避けられる。また、ＳＩＭに記憶されたＰＬＭＮ（又は、これとアクセス技術の組み合わせ）を除けば、信号品質が高いＰＬＭＮ及びアクセス方式の組み合わせほど優先して選択される。
なお、上述の信号品質として、例えば、基地局装置２２から受信した報知情報又は同期信号の電界強度、信号干渉雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）等を用いてもよい。
【００３６】
（本実施形態の概要）
しかし、位置登録又は位置登録更新が完了し通信できる状態になっても、選択されたＰＬＭＮを用いて所望のサービスを実現することができるとは限らない。そこで、本実施形態では、以下の構成のいずれか、又は、それらの任意の組み合わせを備える。
【００３７】
（ａ）移動局装置１１は、ステップＳ１０７において受信した位置登録完了情報又は位置登録更新完了情報に、当該ＰＬＭＮに係るサービス能力情報を抽出する。移動局装置１１は、予め定めたサービス（例えば、音声通信）を実現できるか否かを、抽出したサービス能力情報に基づいて判定する。実現できないと判定された場合には、移動局装置１１は、そのサービスを実現できないことを示すネットワーク表示を行う。利用者に対して未選択のＰＬＭＮを選択することが促され、利用者が望む通信サービスを利用することができる手がかりが得られる。
（ｂ）（ａ）において、移動局装置１１は、検出されたＰＬＭＮを選択しなおすことを促す表示（ネットワーク再選択表示）を行ってもよい。これにより、利用者に対して、より明確に未選択のＰＬＭＮを選択することが促される。
【００３８】
（ｃ）移動局装置１１は、再度ＰＬＭＮの候補を検出し（ステップＳ１０２参照）、検出されたＰＬＭＮの候補を一覧表示（ステップＳ１０４参照）するようにしてもよい。これにより、新たに発見されたＰＬＭＮの候補が加えて、発見できなくなったＰＬＭＮの候補が除外される。
（ｄ）（ｃ）において、移動局装置１１は、検出されたＰＬＭＮの候補各々について、位置登録要求又は位置登録更新要求を行い（ステップＳ１０６参照）、受信した位置登録完了情報又は位置登録更新完了情報から当該ＰＬＭＮに係るサービス能力情報を抽出する。移動局装置１１は、検出したＰＬＭＮの候補と対応付けて、そのＰＬＭＮのサービス能力情報に基づく表示とを行ってもよい。これにより、利用者が所望するサービスを実現することができるＰＬＭＮを手動で選択することができる。
（ｅ）（ｃ）又は（ｄ）において、移動局装置１１は、ＰＬＭＮの候補の検出又は位置登録要求もしくは位置登録更新要求を予め定めた時間間隔で行ってもよい。これにより、移動局装置１１の位置や受信状態の変化により、検出されるＰＬＭＮの候補が変化に追従することができる。
【００３９】
（ｆ）（ｄ）において、移動局装置１１は、設定された動作モードに係るサービスが、選択されたＰＬＭＮが実現できるサービスと異なる場合、もしくは選択されたＰＬＭＮが実現できないサービスである場合には、選択されたＰＬＭＮが実現できるサービスに係る動作モードを設定する。これにより、次回以降検出されるＰＬＭＮの候補から利用者が所望するサービスを実現するＰＬＭＮが選択される。
【００４０】
（ｇ）（ｆ）において、移動局装置１１は、検出したＰＬＭＮの候補のうち、抽出したサービス能力情報が設定された動作モードに係るサービスを実現できるＰＬＭＮを選択する。これにより、利用者はＰＬＭＮを選択するための操作を行う必要がなくなる。
（ｈ）（ｃ）、（ｄ）又は（ｇ）において移動局装置１１は、基地局装置２２からの電波が届く範囲外である圏外にあるか否かを判定する。移動局装置１１は、圏外にあると判定されたとき、選択モードが手動モードである場合、選択モードを自動モードに変更して、予め定めた時間間隔でＰＬＭＮを検出し、検出したＰＬＭＮのうちいずれかを選択する。これにより、他のＰＬＭＮに係る基地局装置からの電波が届く圏外である場合に、移動局装置１１は、そのＰＬＭＮを選択し登録できるようになる。
【００４１】
（移動局装置の内部構成）
次に、本実施形態に係る移動局装置１１の内部構成について説明する。
図３は、本実施形態に係る移動局装置１１の内部構成を示すブロック図である。
移動局装置１１は、アンテナ部１１１、送受信部１１２、ネットワーク検出部１１３、ネットワーク選択部１１４、位置登録部１１５、表示部１１６及び操作入力部１１７を含んで構成される。
【００４２】
アンテナ部１１１は、基地局装置２２から電波で受信した無線周波数帯域の受信信号を送受信部１１２に出力する。アンテナ部１１１は、送受信部１１２から入力された無線周波数帯域の受信信号を電波として基地局装置２２に送信する。
送受信部１１２は、アンテナ部１１１から入力された無線周波数帯域の受信信号をダウンコンバードして基底周波数帯域の受信信号を生成して、生成した受信信号をネットワーク検出部１１３又は位置登録部１１５に出力する。
送受信部１１２は、ネットワーク検出部１１３又は位置登録部１１５から入力された基底周波数帯域の送信信号をアップコンバートして無線周波数帯域の送信信号を生成して、生成した送信信号をアンテナ部１１１に出力する。
【００４３】
ネットワーク検出部１１３には、基地局装置２２から受信した受信信号として報知情報と同期信号が送受信部１１２から入力される。ネットワーク検出部１１３は、入力された報知情報と同期信号について予め定めた指標値を算出し、算出した指標値が周波数帯域毎に予め定めた閾値を超えるか否かを判定することによって、送受信が可能な基地局装置２２を検出する（以上のプロセスを「セルサーチ」と言うことがある。）。指標値として、例えば、電界強度を用いることができる。
ネットワーク検出部１１３は、指標値が予め定めた閾値を超える報知情報及び同期信号から、それぞれＰＬＭＮ識別子及びセルＩＤを抽出し、その閾値を超える周波数帯域を当該ＰＬＭＮが用いる周波数帯域と判定する。ネットワーク検出部１１３は、抽出したＰＬＭＮ識別子と、抽出したＰＬＭＮ識別子とセルＩＤ及び判定した周波数帯域を示す帯域情報とを対応づけてネットワーク選択部１１４に出力する。
【００４４】
ネットワーク検出部１１３は、当該指標値が閾値を超える報知情報及び同期信号が検出されなかった場合には、移動局装置１１が圏外にあると判定し、圏外表示データを画像データ記憶部（図示せず）から読み出して、読み出した圏外表示データを表示部１１６に出力する。これにより、表示部１１６は、ネットワーク検出部１１３から入力された圏外表示データに係る圏外表示を行う。
ネットワーク検出部１１３は、圏外にあるか否かの判定を、検出したＰＬＭＮ毎に行ってもよい。ネットワーク検出部１１３は、検出したＰＬＭＮ毎に圏外にあることを示す圏外信号をネットワーク選択部１１４に出力する。
【００４５】
ネットワーク検出部１１３は、報知情報又は同期信号について指標値が閾値を越える場合、当該指標値に応じて異なる態様の受信状態を示す受信状態表示データを画像データ記憶部から読み出す。指標値に応じて異なる態様とは、例えば、電界強度が大きくなることに応じて表示部１１６に表示されるところのアンテナの本数である。ネットワーク検出部１１３は、読み出した受信状態表示データを表示部１１６に出力する。これにより、表示部１１６は、ネットワーク検出部１１３から入力された受信状態表示データに係る受信状態表示を行う。
上述の指標値は、その信号の品質を示す係数であることから、ネットワーク検出部１１３は、ＰＬＭＮ識別子を抽出した周波数帯域に係る指標値を当該ＰＬＭＮ識別子と対応付けてネットワーク選択部１１４に出力してもよい。
【００４６】
なお、位置登録がなされているＰＬＭＮがある場合には、ネットワーク検出部１１３は、そのＰＬＭＮの周波数帯域について移動局装置１１が圏外にあるか否かを判断する。圏外にあると判断された場合には、上述のように表示部１１６に圏外表示データを出力し、圏外表示を行わせる。ネットワーク検出部１１３は、そのＰＬＭＮの周波数帯域について算出した指標値が閾値を越える場合、当該指標値に応じて異なる態様の受信状態を示す受信状態表示データを画像データ記憶部から読み出す。ネットワーク検出部１１３は、読み出した受信状態表示データを表示部１１６に出力し、受信状態表示を行わせる。
【００４７】
ネットワーク選択部１１４は、ネットワーク検出部１１３から入力されたＰＬＭＮ識別子が示すＰＬＭＮの候補のうち、いずれかのＰＬＭＮを選択する。
ここで、ネットワーク選択部１１４は、入力されたＰＬＭＮ識別子毎の優先度を判定する。この優先度については既に述べたものを用いてもよい。優先度を判定する際、例えば、ＳＩＭに記憶されたＰＬＭＮ識別子又はネットワーク検出部１１３から入力されたＰＬＭＮに対応した指標値を用いてもよい。ネットワーク選択部１１４は、判定した優先度が高い順にＰＬＭＮ識別子を並び替える。
【００４８】
ネットワーク選択部１１４は、モード記憶部（図示せず）に記憶された選択モード情報と動作モード情報を読み出し、読み出した選択モード情報が示す選択モード、動作モード情報が示す動作モードを判定する。
ネットワーク選択部１１４は、判定した選択モードが手動モードである場合、並び替えたＰＬＭＮ識別子を表示部１１６に出力する。これにより、表示部１１６は、ネットワーク選択部１１４から入力されたＰＬＭＮ識別子が示すＰＬＭＮの表示を入力された順序でＰＬＭＮリストとして表示する。
ネットワーク選択部１１４は、操作入力部１１７から入力されたＰＬＭＮ識別子が示すＰＬＭＮを選択したＰＬＭＮと定める。ネットワーク選択部１１４は、選択したＰＬＭＮを示すＰＬＭＮ識別子とセルＩＤ及び帯域情報を位置登録部１１５に出力する。
【００４９】
ネットワーク選択部１１４は、位置登録部１１５からサービス能力情報が入力されると、移動局装置１１は、判定したＰＬＭＮを用いて通信を行える状態になる。ネットワーク選択部１１４は、位置登録に失敗したことを示す位置登録失敗情報が入力された場合、選択したＰＬＭＮを用いて通信を行うことはできない。この場合、ネットワーク選択部１１４は、ＰＬＭＮへの接続に失敗したことを示す接続失敗表示データを画像データ記憶部から読み出し、読み出した接続失敗表示データを表示部１１６に出力する。これにより、表示部１１６は、ネットワーク選択部１１４から入力された接続失敗表示データに基づいて接続失敗表示を行う。
【００５０】
ネットワーク選択部１１４は、判定した選択モードが自動モードである場合、最も優先度が高いＰＬＭＮ識別子を選択し、選択したＰＬＭＮ識別子を位置登録部１１５に出力する。
ネットワーク選択部１１４は、位置登録部１１５から入力されたサービス能力情報に基づいて予め定めたサービス、例えば音声通信を実現できるか否かを判断する。実現できないと判定された場合には、そのサービスを実現できないことを示すネットワーク表示データを画像データ記憶部から読み出し、読み出したネットワーク表示データを表示部１１６に出力する。ネットワーク表示データの表示態様は、動作モードによって異なっていてもよい。これにより、表示部１１６は、ネットワーク選択部１１４から入力されたネットワーク表示データに基づくネットワーク表示を行う。例えば、音声優先モードが設定されているとき、表示部１１６はネットワークの利用ができないことを示す表示を行い、データ優先モードが設定されている場合には音声通信を実現できないことを示す表示を行う。
【００５１】
ネットワーク選択部１１４は、検出されたＰＬＭＮ識別子のうち直前に選択されたＰＬＭＮ識別子を優先度が最も低くし、未選択のＰＬＭＮ識別子の優先度を１番ずつ繰り上げることによって優先度を更新する。ネットワーク選択部１１４は、更新した優先度の順序に従うように検出されたＰＬＭＮ識別子の順序を並び替える。ネットワーク選択部１１４は、ネットワークを選択しなおすことを促すことを示すネットワーク再選択表示データを画像データ記憶部から読み出し、読み出したネットワーク再選択表示データを表示部１１６に出力する。これにより、表示部１１６は、ネットワーク選択部１１４から入力されたネットワーク再選択表示データに基づくネットワーク再選択表示を行う。ネットワーク選択部１１４がネットワーク再選択表示データを行うタイミングは、ネットワーク表示データを表示部１１６に出力した直後であってもよいし、その時点から予め定めた時間（例えば、１分間）が経過した後でもよい。操作入力部１１７からネットワークを再選択することを指示するネットワーク再選択信号が入力されたとき、ネットワーク選択部１１４は、更新した優先度が最も高いＰＬＭＮ識別子を選択する。
【００５２】
ネットワーク選択部１１４は、表示部１１６に出力するＰＬＭＮ識別子として新たに検出されたＰＬＭＮ識別子を用いてもよい。ここで、ネットワーク選択部１１４は、ＰＬＭＮを検出することを指示するネットワーク検出信号を生成し、生成したネットワーク検出信号をネットワーク検出部１１３に出力する。これにより、ネットワーク検出部１１３は、ネットワーク選択部１１４からネットワーク検出信号が入力されたとき、抽出したＰＬＭＮ識別子に対応するセルＩＤ及び帯域情報をネットワーク選択部１１４に出力する。ネットワーク選択部１１４は、ネットワーク検出部１１３から入力されたＰＬＭＮ識別子が新たに検出されたＰＬＭＮ識別子として用いられる。
【００５３】
ネットワーク選択部１１４は、新たに検出されたＰＬＭＮ識別子とセルＩＤ及び帯域情報を位置登録部１１５に出力してもよい。これにより、位置登録部１１５は、ネットワーク選択部１１４から入力されたＰＬＭＮ識別子の各々について位置登録要求又は位置登録更新を行い、サービス能力情報又は位置登録失敗情報をネットワーク選択部１１４に出力する。ネットワーク選択部１１４は、位置登録部１１５からＰＬＭＮ識別子の各々について入力されたサービス能力情報に基づいて実現可能なサービスに係るサービス表示データを生成する。ネットワーク選択部１１４は、生成したサービス表示データとＰＬＭＮ識別子と対応付けて表示部１１６に出力する。表示部１１６は、ＰＬＭＮリストにおいてＰＬＭＮ識別子と対応付けてサービス表示データに基づくサービス表示を行う。サービス表示の例については後述する。
【００５４】
ネットワーク選択部１１４は、判定した動作モードに係るサービスが、選択したＰＬＭＮ識別子に対応するサービス能力情報が示す実現可能なサービスと異なる、もしくは実現できないサービスであるか否かを判断する。かかるサービスであると判断された場合、ネットワーク選択部１１４は、選択したＰＬＭＮ識別子に対応するサービス能力情報が示すサービスであって、実現可能なサービスに係る動作モードを設定する。例えば、ネットワーク選択部１１４は、選択されたＰＬＭＮが音声通信を実現できずデータ通信を実現できるＬＴＥ網である場合、動作モードをデータ優先モードに変更する。また、選択されたＰＬＭＮが音声通信を実現できる３Ｇ網である場合、動作モードを音声優先モードに変更する。
【００５５】
ネットワーク選択部１１４は、抽出したサービス能力情報が、設定された動作モードに係るサービスを実現できることを示すか否かを判定する。例えば、判定した動作モードが音声優先モードである場合、位置登録部１１５から入力されたサービス能力情報が音声通信を実現できるか否かを判定する。例えば、判定した動作モードがデータ優先モードである場合、位置登録部１１５から入力されたサービス能力情報がデータ通信を実現できるか否かを判定する。  
実現できると判定された場合には、ネットワーク選択部１１４は、そのサービス能力情報に係るＰＬＭＮを、通信に利用するＰＬＭＮと判定して、ネットワークの選択に係る処理を停止する。これにより、移動局装置１１は、判定したＰＬＭＮを用いて通信を行える状態になる。
【００５６】
実現できないと判定された場合や、位置登録部１１５から位置登録失敗情報が入力された場合には、ネットワーク選択部１１４は、入力されたＰＬＭＮ識別子毎の優先度を、例えば上述のように再度判定する。このとき、直前に選択したＰＬＭＮ識別子の優先度が最も低くなり、未選択のＰＬＭＮ識別子の優先度が各々１番ずつ繰り上がる。そして、最も優先度が高いＰＬＭＮ識別子の選択の処理と、位置登録部１１５へのＰＬＭＮ識別子、セルＩＤ及び帯域情報の出力、を繰り返す。
入力されたＰＬＭＮ識別子全てについて、設定された動作モードに係るサービスを実現できない、又は位置登録部１１５から位置登録失敗情報が入力された場合には、ネットワーク選択部１１４は、接続失敗表示データを画像データ記憶部から読み出す。ネットワーク選択部１１４は、読み出した接続失敗表示データを表示部１１６に出力する。これにより、表示部１１６は、ネットワーク選択部１１４から入力された接続失敗表示データに基づいて接続失敗表示を行う。
【００５７】
ネットワーク選択部１１４には、ネットワーク検出部１１３から圏外信号が入力される。ネットワーク選択部１１４は、判定した選択モードが手動モードである場合、位置登録又は位置登録更新がなされているＰＬＭＮについて入力された圏外信号が圏外にあることを示しているか否かを判定する。ネットワーク選択部１１４は、入力された圏外信号が圏外にあることを示していると判定したとき、自動モードを示す選択モード情報をモード記憶部に記憶する。これにより、選択モードを手動モードから自動モードに変更する。
【００５８】
位置登録部１１５は、ネットワーク選択部１１４から入力されたＰＬＭＮ識別子、このＰＬＭＮ識別子に対応するセルＩＤ及び帯域情報に基づいて、このＰＬＭＮへの位置登録を要求する位置登録要求信号を生成する。位置登録部１１５は、生成した位置登録要求信号を基地局装置２２への送信信号として送受信部１１２に出力する。
位置登録部１１５は、基地局装置２２からの受信信号として位置登録完了情報が送受信部１１２から入力された場合、入力された位置登録完了情報からサービス能力情報を抽出し、抽出したサービス能力情報をネットワーク選択部１１４に出力する。
位置登録部１１５は、基地局装置２２からの受信信号として位置登録拒否情報又は位置登録更新拒否情報が送受信部１１２から入力された場合には、位置登録に失敗したと判断する。また、位置登録部１１５は、位置登録要求情報を出力した後、予め定めた時間（例えば、９０秒）経過しても位置登録完了情報が入力されない場合にも、位置登録に失敗したと判断する。これらの場合、位置登録部１１５は、位置登録に失敗したことを示す位置登録失敗情報を生成し、生成した位置登録失敗情報をネットワーク選択部１１４に出力する。
【００５９】
表示部１１６は、移動局装置１１の機能を実現するための画面表示を行う。例えば、音声通信や画像通信等の通信サービスの開始、終了に係る操作入力を受け付けることを示す表示、画像通信やテキスト通信において通信相手から受信した画像やテキストの表示を行う。その他、前述のように、ネットワーク検出部１１３又はネットワーク選択部１１４から入力された画像データに基づく画像を表示する。表示部１１６は、例えば、液晶ディスプレイである。
【００６０】
操作入力部１１７は、利用者による操作入力を受け付ける、受け付けた操作入力に係る動作を実行又は他の機能部に実行させる。これにより、移動局装置１１の機能を実現する。操作入力部１１７は、例えば、利用者が操作した指やスタイラスペン等の操作物が接触した座標を検知するポインティングデバイスである。
本実施形態では、表示部１１６と操作入力部１１７は、これらが一体化されたタッチパネル１１８であってもよい。タッチパネル１１８は、操作ボタンを表す画面を表示し、検知した座標が属するボタンに対応する操作入力を受け付ける。以下の説明では、表示部１１６と操作入力部１１７は、これらが一体化されたタッチパネル１１８を用いる場合を例にとるが、本実施形態ではこれには限られない。表示部１１６と操作入力部１１７は、互いに別体であってもよい。なお、タッチパネル１１８に表示される画面表示の例については後述する。
【００６１】
なお、本実施形態では、ネットワーク検出部１１３におけるＰＬＭＮ識別子の検出、位置登録部１１５における位置登録要求又は位置登録更新要求を、予め定めた時間間隔（例えば、３分間隔）で繰り返し行ってもよい。
また、位置登録要求又は位置登録更新要求が行われたＰＬＭＮが２個以上ある場合、必要とされないＰＬＭＮについては、位置登録解除要求（ｄｅｔａｃｈ、デタッチ）を行うようにしてもよい。必要とされないＰＬＭＮとは、データの送受信に用いられる可能性がないＰＬＭＮ、例えば、直近に位置登録要求又は位置登録更新要求が行われたＰＬＭＮ以外のＰＬＭＮである。これにより、ＰＬＭＮにおいて必要以上に位置登録がなされずに済むため、移動局装置の移動管理（ｍｏｂｉｌｉｔｙ  ｍａｎａｇｅｍｅｎｔ）に係る負荷の増大を抑制することができる。
【００６２】
次に、サービス能力情報の例について説明する。
本実施形態では、サービス能力情報として、例えば、位置登録完了情報又は位置登録更新完了情報）に含まれるメッセージ又は値を用いてもよい。
例えば、サービス能力情報が“ＳＭＳ（Ｓｈｏｒｔ  Ｍｅｓｓａｇｅ  Ｓｅｒｖｉｃｅ）  Ｏｎｌｙ”、“ＣＳ  Ｆａｌｌｂａｃｋ  ｎｏｔ  ｐｒｅｆｅｒｒｅｄ”である場合、それぞれ「ショートメッセージのみ」、「ＣＳＦＢ非利用」を示すメッセージである。３ＧＰＰ  ＴＳ  ２４．３０１は、このサービス能力情報を受信し、ＣＳ／ＰＳモード１で動作している移動局装置は、登録されているＬＴＥ網へのアクセスを行わず（無効化）、ＧＥＲＡＮ又はＵＴＲＡＮを選択してＣＳＦＢを用いることを規定している。
【００６３】
ここで、ＣＳ／ＰＳモード１とは、ＥＰＳサービス、非ＥＰＳサービスともに登録される移動局装置における音声優先モードである。つまり、かかる移動局装置では音声通信を行うことができるＧＥＲＡＮ又はＵＴＲＡＮが選択されるが、ＬＴＥ網は選択されないため高速通信を行うことができない。
また、サービス能力情報として、ＥＭＭ（Ｅｖｏｌｖｅｄ  Ｐａｃｋｅｔ  Ｓｙｓｔｅｍ  Ｍｏｂｉｌｉｔｙ  Ｍａｎａｇｅｍｅｎｔ）  ｃａｕｓｅ値を用いてもよい。例えば、ＥＭＭ  ｃａｕｓｅ値が＃１８は、ＣＳドメイン利用不可を示す値である。３ＧＰＰ  ＴＳ  ２４．３０１は、このサービス能力情報を受信し、ＣＳ／ＰＳモード１で動作している移動局装置は、登録されているＬＴＥ網へのアクセスを行わず（無効化）、ＧＥＲＡＮ又はＵＴＲＡＮを選択してＣＳＦＢを用いることを規定している。
【００６４】
従って、サービス能力情報として、移動局装置１１が“ＳＭＳ  Ｏｎｌｙ”、“ＣＳ  Ｆａｌｌｂａｃｋ  ｎｏｔ  ｐｒｅｆｅｒｒｅｄ”又は＃１８を受信した場合には、ネットワーク選択部１１４は、次のサービス表示情報を生成する。ＰＬＭＮ識別子がＬＴＥ網を示すとき、ネットワーク選択部１１４は、例えば、「音声不可、高速データ通信可」を示すサービス表示情報を生成する。ＰＬＭＮ識別子がＧＥＲＡＮ又はＵＴＲＡＮを示すとき、ネットワーク選択部１１４は、例えば、「音声可、低速データ通信可」を示すサービス表示情報を生成する。本実施形態では、サービス表示情報とサービス能力情報とを対応付けて記憶したサービス表示記憶部（図示せず）を備え、ネットワーク選択部１１４は、サービス表示記憶部から入力されたサービス能力情報に対応するサービス表示情報を読み出すようにしてもよい。
【００６５】
（移動局装置の外観）
次に、本実施形態に係る移動局装置１１の外観について説明する。
図４は、本実施形態に係る移動局装置１１の外観を示す表面図である。
移動局装置１１の表面の大部分は、タッチパネル１１８に覆われている。タッチパネル１１８の左上端には、受信状態表示３１１が示されている。受信状態表示３１１は、アンテナとその本数を表示する図であり、基地局装置２２から受信した受信信号（報知情報、同期信号）の電界強度に応じたアンテナの本数によって示す。図４に示す例では、アンテナの本数が多いほど電界強度が強いことを示す。但し、表示されるアンテナの本数は最大３本であり最小０本である。
【００６６】
（画面表示の例）
次に、タッチパネル１１８に表示される画面表示の例について説明する。
図５は、圏外表示の一例を示す概略図である。
圏外表示３１２は、各頂点が丸みを帯びた長方形と、これに囲まれる「圏外」の漢字とからなる。圏外表示３１２は、例えば、タッチパネルの左上端の受信状態表示３１１が表示されている位置に表示される。受信状態表示３１１と圏外表示３１２は、同時に表示されないため、利用者は、受信状態の一環として圏外であるか否かを視覚により把握することができる。
【００６７】
図６は、ネットワーク表示の例を示す概略図である。
（ａ）に示すネットワーク表示３２１は、選択されたネットワークの利用ができないことを示すネットワーク表示の例である。動作モードが、音声優先モードであって音声通信を実現できないネットワークが選択された場合に、ネットワーク表示３２１を表示することで利用者にネットワークを再選択することを促すことができる。
（ｂ）に示すネットワーク表示３２２は、選択されたネットワークによって音声通信を実現できないことを示すネットワーク表示の例である。動作モードが、データ優先モードであって音声通信を実現できないネットワークが選択された場合に、ネットワーク表示３２２を表示することで利用者に選択されたネットワークを利用したままでよいか注意を喚起することができる。
【００６８】
図７は、ネットワーク再選択表示の一例を示す概略図である。
ネットワーク再選択表示３２３は、ネットワークを選択しなおすことを示す文字列「通信事業者を選択しなおしますか（自動）？」と、２個の操作入力ボタン「はい」、「いいえ」を含む。タッチパネル１１８が、「はい」が表示されている領域に操作入力を受け付けたとき、ネットワーク再選択信号を生成し、生成したネットワーク再選択信号をネットワーク選択部１１４に出力する。これにより、ネットワーク選択部１１４では、ＰＬＭＮ識別子の再選択が行われる。タッチパネル１１８が、「いいえ」が表示されている領域に操作入力を受け付けたとき、ネットワークの選択を行わないことを示すネットワーク選択停止信号を生成し、生成したネットワーク選択停止信号をネットワーク選択部１１４に出力する。これにより、ネットワーク選択部１１４では、ＰＬＭＮ識別子の選択にかかる処理が終了する。
【００６９】
図８は、選択モード表示の一例を示す概略図である。
選択モード表示３２４は、利用者に選択モードを選択することを促す表示である。選択モード表示３２４が表示されるタイミングは、利用者にネットワークの選択を選択する時点、例えば、ＰＬＭＮリストを表示する時点である。
選択モード表示３２４に含まれる、「ネットワーク選択モード」の文字列は、選択モードを示す文字列である。「自動」、「ＬＴＥ優先」、「手動」、「キャンセル」の各文字列は、それぞれ、自動モード、ＬＴＥ網を優先して選択するモード（ＬＴＥ優先）、手動モード、選択を行わないこと、を示す文字列である。これらの４つの文字列が利用者に対して選択することが要求される選択肢である。
【００７０】
長方形の枠は、この枠に囲まれる領域に操作入力が受け付けられることによって、その選択肢が選択されていることを示す。図８に示す例では、「ＬＴＥ優先」つまり「ＬＴＥ優先モード」が選択されていることを示す。タッチパネル１１８は、操作入力を受け付けた選択肢に係る選択モードを示す選択モード情報を生成し、生成した選択モード情報をネットワーク選択部１１４に出力する。ネットワーク選択部１１４には、タッチパネル１１８から入力された選択モード情報を、モード情報記憶部に記憶する。但し、タッチパネル１１８が、「キャンセル」が表示されている領域に操作入力を受け付けたとき、ネットワークの選択を行わないことを示すネットワーク選択停止信号を生成し、生成したネットワーク選択停止信号をネットワーク選択部１１４に出力する。これにより、ネットワーク選択部１１４では、ＰＬＭＮ識別子の選択に係る処理が終了する。なお、本実施形態では、選択モード表示３２４は、ＰＬＭＮ識別子の選択に係る処理とは独立に表示され、動作モードが選択されるようにしてもよい。
【００７１】
図９は、ＰＬＭＮリストの一例を示す概略図である。
ＰＬＭＮリスト３２５は、利用者にＰＬＭＮを選択することを促す「通信事業者を選んでください」の文字列、選択肢となる３個のＰＬＭＮ（ＰＬＭＮ１−ＰＬＭＮ３）を示す文字列、「キャンセル」の文字列及び「さらに詳細」の文字列を含む。図９に示す例では、ＰＬＭＮ２が選択されていることを示す。タッチパネル１１８は、「ＰＬＭＮ２」を示すＰＬＭＮ識別子をネットワーク選択部１１４に出力する。これにより、「ＰＬＭＮ２」が手動で選択される。「キャンセル」の文字列が表示されているボタンに係る処理については、図８と同様である。「さらに詳細」の文字列が表示されている領域に、タッチパネル１１８が操作入力を受け付けた場合には、ＰＬＭＮリスト３２５に表示されているＰＬＭＮに係る詳細情報を要求することを示す詳細情報要求情報を生成する。タッチパネル１１８は、生成した詳細情報要求情報をネットワーク選択部１１４に出力する。ネットワーク選択部１１４が、タッチパネル１１８から詳細情報要求情報が入力されたとき、検出されたＰＬＭＮ識別子とセルＩＤ及び帯域情報を位置登録部１１５に出力する。
【００７２】
これにより、位置登録部１１５は、ネットワーク選択部１１４から入力されたＰＬＭＮ識別子の各々について位置登録要求又は位置登録更新を行い、位置登録完了情報又は位置登録更新完了情報から抽出したサービス能力情報をネットワーク選択部１１４に出力する。ネットワーク選択部１１４は、位置登録部１１５からＰＬＭＮ識別子の各々について入力されたサービス能力情報に基づいて実現可能なサービスに係るサービス表示データを生成する。ネットワーク選択部１１４は、生成したサービス表示データとＰＬＭＮ識別子と対応付けて表示部１１６に出力する。
なお、「さらに詳細」の文字列が表示されている領域に、タッチパネル１１８が操作入力を受け付けた場合、タッチパネル１１８では、この文字列とこの文字列を示すボタンが消去され、その他の文字列は引き続き表示される。
【００７３】
図１０は、ＰＬＭＮリストの他の例を示す概略図である。
ＰＬＭＮリスト３２６において、「通信事業者を選んで下さい」、「ＰＬＭＮ１」−「ＰＬＭＮ３」、「キャンセル」の文字列及び長方形の枠は、ＰＬＭＮリスト３２５に示されているものと同様である。「ＰＬＭＮ１」、「ＰＬＭＮ２」、「ＰＬＭＮ３」とそれぞれ同じ行の右側に対応付けて表示される文字列は、各ＰＬＭＮのサービス表示である。最上行の「音声可」の文字列は、ＰＬＭＮ１が、音声通信が可能であるＰＬＭＮであることを示すサービス表示である。上から２行目の「高速データ通信可」の文字列は、ＰＬＭＮ２が、高速データ通信が可能であるＰＬＭＮであることを示すサービス表示である。上から３行目の「ショートメッセージのみ」の文字列は、ＰＬＭＮ３が、ショート・メッセージ・サービスのみが可能であるＰＬＭＮであることを示すサービス表示である。
【００７４】
（ネットワーク選択処理）
次に、本実施形態に係るネットワーク選択処理について説明する。以下の説明では、移動局装置１１に設定されている選択モードが自動モードであり、検出されたＰＬＭＮから音声通信を実現できないＬＴＥ網を選択した時点で処理を開始することを前提とする。本実施形態では、これには限られず、他の選択モード、例えば手動モードが設定され、ＰＬＭＮをまだ検出していない時点で開始してもよい。
【００７５】
図１１は、本実施形態に係るネットワーク選択処理例の一部（１）を示すフローチャートである。
（ステップＳ２０１）位置登録部１１５は、選択したＬＴＥ網について位置登録要求を行う。その後、ステップＳ２０２に進む。
（ステップＳ２０２）位置登録部１１５は、選択したＬＴＥ網から位置登録完了情報を受信する。受信した位置登録完了情報は、選択したＬＴＥ網への接続を許可することを示し、音声通信ができないことを示すサービス能力情報を含む。その後、ステップＳ２０３に進む。
【００７６】
（ステップＳ２０３）ネットワーク選択部１１４は、動作モード情報が音声優先モード（ｖｏｉｃｅ  ｃｅｎｔｒｉｃ）であるか、データ優先モードであるかを判定する。データ優先モードと判定された場合には（ステップＳ２０３  ｄａｔａ  ｃｅｎｔｒｉｃ）、
ステップＳ２０４に進む。音声優先モードと判定された場合には（ステップＳ２０３  ｖｏｉｃｅ  ｃｅｎｔｒｉｃ）、ステップＳ２０５に進む。
（ステップＳ２０４）ネットワーク選択部１１４は、選択したＬＴＥへの接続に係る処理を完了する。ここで、表示部１１６は、音声通信ができないことを示すネットワーク表示を行ってもよい。その後、ステップＳ２０７に進む。
（ステップＳ２０５）ネットワーク選択部１１４は、選択されたＬＴＥ網を無効化（ｄｉｓａｂｌｅ）して、選択されたＬＴＥ網をデータの送受信に用いない。例えば、位置登録部１１５は選択されたＬＴＥ網について位置登録解除を行う。また、選択されたＬＴＥ網が、他のネットワーク（例えば、ＧＥＲＡＮ（ＧＳＭ（登録商標）及びＥＤＧＥ無線アクセスネットワーク））と連携する構成を備える場合には、位置登録解除を行わずに、ＬＴＥ網にアクセスを行わない。その後、ステップＳ２０６に進む。
（ステップＳ２０６）ネットワーク選択部１１４は、他の網に遷移する。上述のように、選択されたＬＴＥ網が、他のネットワークと連携する構成を備える場合には、移動局装置１１は、ＬＴＥ網にアクセスを行わずに、連携しているネットワークにアクセスする。その後、ステップＳ２０７に進む。
【００７７】
（ステップＳ２０７）ネットワーク検出部１１３は、選択したＰＬＭＮのセルに在圏しているか否かを判定する。在圏していると判定された場合には（ステップＳ２０７  ＹＥＳ）、処理を終了する。在圏していないと判定された場合には（ステップＳ２０７  ＮＯ）、ステップＳ２０８に進む。
（ステップＳ２０８）タッチパネル１１８は、ネットワーク選択画面表示の一部として選択モード表示（図８参照）を行う。その後、ステップＳ２０９に進む。
（ステップＳ２０９）タッチパネル１１８は、利用者による操作入力を受け付け、選択モード（ネットワーク選択モード）として、「自動モード」、「ＬＴＥ優先モード」、「手動モード」のいずれか、又は「キャンセル」が選択されたか判定する。「自動モード」が選択された場合（ステップＳ２０９  自動）、ステップＳ２１１（図１２参照）に進む。「ＬＴＥ優先モード」が選択された場合（ステップＳ２０９  ＬＴＥ優先）、ステップＳ２２１（図１３参照）に進む。「キャンセル」が選択された場合（ステップＳ２０９  キャンセル）、処理を終了する。「手動モード」が選択された場合（ステップＳ２０９  手動）、ステップＳ２４１（図１５参照）に進む。
【００７８】
図１２は、本実施形態に係るネットワーク選択処理例の一部（２）を示すフローチャートである。
図１２は、選択モードとして自動モードが選択されたときに実行される処理を示す。図１２に示される処理では、開始される前にＰＬＭＮが検出されていることを前提とする。
（ステップＳ２１１）ネットワーク選択部１１４は、検出したＰＬＭＮのうち直前に選択されたＰＬＭＮの優先度を最下位に下げ、他の未選択のＰＬＭＮの優先度を１番ずつ繰り上げることで、ＰＬＭＮ毎の優先度を更新する。その後、ステップＳ２１２に進む。
（ステップＳ２１２）ネットワーク選択部１１４は、更新した優先度が最も高いＰＬＭＮを選択する。位置登録部１１５は、新たに選択したＰＬＭＮについて位置登録要求を行って接続できる状態にする。その後、処理を終了する。
【００７９】
図１３は、本実施形態に係るネットワーク選択処理例の一部（３）を示すフローチャートである。
図１３は、選択モードとしてＬＴＥ優先モードが選択されたときに実行する処理を示す。
（ステップＳ２２１）ネットワーク検出部１１３は、各ＰＬＭＮが備える基地局装置から受信した報知情報と同期信号に基づいてアクセスできるＰＬＭＮを検出する（ＰＬＭＮサーチ）。その後、ステップＳ２２２に進む。
（ステップＳ２２２）ネットワーク選択部１１４は、検出したＰＬＭＮのうちＬＴＥ網を選択し、位置登録部１１５は、選択したＬＴＥ網それぞれについて位置登録要求を行う。その後、ステップＳ２２３に進む。
【００８０】
（ステップＳ２２３）ネットワーク選択部１１４は、選択したＬＴＥ網から受信した位置登録完了情報からサービス能力情報を抽出し、抽出したサービス能力情報に基づいて音声通信が可能なＬＴＥ網の有無を判定する。音声通信が可能なＬＴＥ網があると判定された場合には（ステップＳ２２３  ＹＥＳ）、ステップＳ２２４に進む。音声通信が可能なＬＴＥ網がないと判定された場合には（ステップＳ２２３  ＮＯ）、処理を終了する。
（ステップＳ２２４）ネットワーク選択部１１４は、音声通信が可能なＬＴＥ網が複数あるとき、最初に発見したＬＴＥ網、即ち、優先度が最も高いＬＴＥ網を選択する。なお、音声通信が可能なＬＴＥ網が１個のときには、ネットワーク選択部１１４は、そのＬＴＥ網を選択する。その後、ステップＳ２３１（図１４参照）に進む。
【００８１】
図１４は、本実施形態に係るネットワーク選択処理例の一部（４）を示すフローチャートである。
図１４は、既に選択されたＰＬＭＮについて位置登録が完了し、接続できる状態であるときに実行する処理を示す。
（ステップＳ２３１）ネットワーク検出部１１３は、選択されたＰＬＭＮについて移動局装置１１が圏外にあるか否かを判定する。圏外にあると判定された場合には（ステップＳ２３１  ＹＥＳ）、ステップＳ２３２に進む。圏外ではないと判定された場合には（ステップＳ２３１  ＮＯ）、処理を終了する。
（ステップＳ２３２）選択モードが「手動モード」又は「ＬＴＥ優先モード」である場合には、ネットワーク選択部１１４は、選択モードを「自動モード」に設定する。その後、処理を終了する。
【００８２】
図１５は、本実施形態に係るネットワーク選択処理例の一部（５）を示すフローチャートである。
図１５は、選択モードとして手動モードが選択されたときに実行する処理を示す。
（ステップＳ２４１）ネットワーク検出部１１３は、各ＰＬＭＮが備える基地局装置から受信した報知情報と同期信号に基づいてアクセスできるＰＬＭＮを検出する（ＰＬＭＮサーチ）。その後、ステップＳ２４２に進む。
（ステップＳ２４２）タッチパネル１１８は、アクセスできるＰＬＭＮの一覧（ＰＬＭＮリスト、図９参照）を表示する。その後、ステップＳ２４３に進む。
【００８３】
（ステップＳ２４３）タッチパネル１１８は、利用者による操作入力を受け付ける。ＰＬＭＮリストにおいて「キャンセル」ボタンが押下された場合には（ステップＳ２４３  キャンセル）、処理を終了する。ＰＬＭＮリストに表示されたＰＬＭＮのうち、いずれかのＰＬＭＮが選択された場合には（ステップＳ２４３  一覧から選択）、ステップＳ２４４に進む。ＰＬＭＮリストにおいて「さらに詳細」ボタンが押下された場合には（ステップＳ２４３  さらに詳細）、ステップＳ２４５に進む。
【００８４】
（ステップＳ２４４）ネットワーク選択部１１４は、選択されたＰＬＭＮへ遷移する。ここで、位置登録部１１５は、選択されたＰＬＭＮについて位置登録要求を行い、選択されたＰＬＭＮに接続できる状態にする。その後、ステップＳ２３１（図１４参照）に進む。
（ステップＳ２４５）位置登録部１１５は、アクセスできるＰＬＭＮとして検出したＰＬＭＮの各々について位置登録要求を行う。その後、ステップＳ２４６に進む。
（ステップＳ２４６）位置登録部１１５は、位置登録要求を行ったＰＬＭＮの各々から位置登録完了情報を受信し、受信した位置登録完了情報からサービス能力情報を抽出する。タッチパネル１１８は、ＰＬＭＮ毎に抽出したサービス能力情報に基づくサービス表示情報（詳細情報）をＰＬＭＮと対応付けてＰＬＭＮリスト（図１０参照）として表示する。その後、ステップＳ２４７に進む。
【００８５】
（ステップＳ２４７）タッチパネル１１８は、利用者による操作入力を受け付ける。ＰＬＭＮリストにおいて「キャンセル」ボタンが押下された場合には（ステップＳ２４７  キャンセル）、処理を終了する。ＰＬＭＮリストに表示されたＰＬＭＮのうち、いずれかのＰＬＭＮが選択された場合には（ステップＳ２４７  一覧から選択）、ステップＳ２４８に進む。
（ステップＳ２４８）ネットワーク選択部１１４は、選択されたＰＬＭＮがＬＴＥ網であるか否かを判定する。ＬＴＥ網であると判定された場合には（ステップＳ２４８  ＹＥＳ）、ステップＳ２４９に進む。ＬＴＥ網ではないと判定された場合には（ステップＳ２４８  ＮＯ）、ステップＳ２５２に進む。
【００８６】
（ステップＳ２４９）ネットワーク選択部１１４は、選択されたＰＬＭＮが、音声通信が可能なＰＬＭＮであるか否かを判定する。音声通信が可能なＰＬＭＮであると判定された場合には（ステップＳ２４９  ＹＥＳ）、ステップＳ２５０に進む。音声通信が不可能なＰＬＭＮであると判定された場合には（ステップＳ２４８  ＮＯ）、ステップＳ２５１に進む。
（ステップＳ２５０）ネットワーク選択部１１４は、動作モードを「音声優先モード」に設定する。その後、ステップＳ２５２に進む。
（ステップＳ２５１）ネットワーク選択部１１４は、動作モードを「データ優先モード」に設定する。その後、ステップＳ２５２に進む。
（ステップＳ２５２）ネットワーク選択部１１４は、選択されたＰＬＭＮへ遷移する。ここで、位置登録部１１５は、選択されたＰＬＭＮについて位置登録要求を行い、選択されたＰＬＭＮに接続できる状態にする。その後、ステップＳ２３１（図１４参照）に進む。
【００８７】
以上に説明したように、本実施形態は、無線信号を送受信する１又は複数のネットワークを検出し、検出した１又は複数ネットワークのうち少なくとも１つのネットワークを、ネットワーク毎に予め定めた優先度に基づいて選択し、選択したネットワークへの位置登録を要求し、選択したネットワークが予め定めたサービスを提供できないネットワークである場合、検出した１又は複数のネットワークのいずれかを選択することを促すネットワーク表示を表示する。
これにより、利用者に対して未選択のネットワークを選択することが促され、利用者が望む通信サービスを利用することができる手がかりが得られる。
【００８８】
なお、上述した実施形態における移動局装置１１の一部、例えば、ネットワーク検出部１１３、ネットワーク選択部１１４及び位置登録部１１５をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、移動局装置１１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における移動局装置１１の一部、または全部を、ＬＳＩ（Ｌａｒｇｅ  Ｓｃａｌｅ  Ｉｎｔｅｇｒａｔｉｏｎ）等の集積回路として実現しても良い。移動局装置１１の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００８９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００９０】
１…通信システム、
１１…移動局装置、
１１１…アンテナ部、１１２…送受信部、１１３…ネットワーク検出部、
１１４…ネットワーク選択部、１１５…位置登録部、１１６…表示部、
１１７…操作入力部、１１８…タッチパネル、
２１（２１−１、２１−２）…ＰＬＭＮ、２２（２２−１、２２−２）…基地局装置、
【図１】
2014060685.tif 000003
【図２】
2014060685.tif 000004
【図３】
2014060685.tif 000005
【図４】
2014060685.tif 000006
【図５】
2014060685.tif 000007
【図６】
2014060685.tif 000008
【図７】
2014060685.tif 000009
【図８】
2014060685.tif 000010
【図９】
2014060685.tif 000011
【図１０】
2014060685.tif 000012
【図１１】
2014060685.tif 000013
【図１２】
2014060685.tif 000014
【図１３】
2014060685.tif 000015
【図１４】
2014060685.tif 000016
【図１５】
2014060685.tif 000017